(57)【要約】      （修正有）【課題】上半身用衣類と下半身用衣類において、また、膝下まで足を覆う下半身用長衣類と靴下において、一部が重なるように、それぞれ組合わせて着用することにより、ずれずにすべらずに着用できるずれ防止衣類を提供する。【解決手段】(１）上半身用衣類１と下半身用衣類３とを一対として用いる衣類において、上半身用衣類１の裾一周部２と下半身用衣類３の周回りをなすウエスト一周部４に傾斜パイル地を取り付け、重なるように組み合わせて用いる。（２）下半身用長衣類と靴下を一対として用いる衣類において、下半身用長衣類の両足それぞれの裾部と靴下の両足それぞれの上縁周辺部に傾斜パイル地を取り付け、重なるように組み合わせて用いる。【選択図】図１
2010001582.tif 000002
【特許請求の範囲】
【請求項１】
上半身用衣類と下半身用衣類とを一対として用いる衣類において、
前記上半身用衣類の裾部周回りに、
傾斜パイル地の地目が衣類の裾下部から裾上部へ向かう方向に傾斜するように取り付けた裾一周部を有する上半身用衣類と、
前記下半身用衣類の周回りをなす上縁部に、
傾斜パイル地の地目が衣類の上縁部から股部へ向かう方向に傾斜するように取り付けたウエスト一周部を有する下半身用衣類とが、
前記裾一周部と前記ウエスト一周部が、重なるように組み合わせて用いることを特徴とするずれ防止衣類。
【請求項２】
前記上半身衣類の表側の裾部周回りに、傾斜パイル地の地目が衣類の裾下部から裾上部へ向かう方向に傾斜するように取り付け、
前記下半身用衣類の裏側の周回りをなす上縁部に、傾斜パイル地の地目が衣類の上縁部から股部へ向かう方向に傾斜するように取り付け、
前記下半身用衣類の前記ウエスト一周部に、前記上半身用衣類の前記裾一周部を重なるように組み合わせて用いることを特徴とする請求項１記載のずれ防止衣類。
【請求項３】
前記上半身衣類の裏側の裾部周回りに、傾斜パイル地の地目が衣類の裾下部から裾上部へ向かう方向に傾斜するように取り付け、
前記下半身用衣類の表側の周回りをなす上縁部に、傾斜パイル地の地目が衣類の上縁部から股部へ向かう方向に傾斜するように取り付け、
前記上半身用衣類の前記裾一周部に、前記下半身用衣類の前記ウエスト一周部を重なるように組み合わせて用いることを特徴とする請求項１記載のずれ防止衣類。
【請求項４】
膝下まで足を覆う下半身用長衣類と靴下を一対として用いる衣類において、
前記下半身用長衣類の両足それぞれの裾部に、
傾斜パイル地の地目が裾部から膝下へ向かう方向に傾斜するように取り付けた裾周辺部を有する下半身用長衣類と、
前記靴下の両足それぞれの上縁部に、傾斜パイル地の地目が上縁部から足首へ向かう方向に傾斜するように取り付けた上縁周辺部を有する靴下を、前記裾部に前記上縁部が重なるように組み合わせて用いることを特徴とするずれ防止衣類。
【請求項５】
前記下半身用長衣類の両足それぞれの表側の裾部に、傾斜パイル地の地目が裾部から膝下へ向かう方向に傾斜するように取り付け、
前記靴下の両足それぞれの裏側の上縁部に、傾斜パイル地の地目が上縁部から足首へ向かう方向に傾斜するように取り付け、
前記靴下の前記上縁周辺部に、前記下半身用長衣類の前記裾周辺部を重なるように組み合わせて用いることを特徴とする請求項４記載のずれ防止衣類。
【請求項６】
前記下半身用長衣類の両足それぞれの裏側の裾部に、傾斜パイル地の地目が裾部から膝下へ向かう方向に傾斜するように取り付け、
前記靴下の両足それぞれの表側の上縁部に、傾斜パイル地の地目が上縁部から足首へ向かう方向に傾斜するように取り付け、
前記下半身用長衣類の前記裾周辺部に、前記靴下の前記上縁周辺部を重なるように組み合わせて用いることを特徴とする請求項４記載のずれ防止衣類。
【発明の詳細な説明】
【技術分野】
【０００１】
本発明は、上半身用衣類と下半身用衣類を一対として用いる衣類や、
膝下まで足を覆う下半身用長衣類と靴下を一対として用いる衣類において、
一部が重なるようにそれぞれ組合わせて着用することにより、
すべらず、ずれずに着用できるずれ防止衣類に関するものである。                
【背景技術】
【０００２】
衣類を着用し日常生活をおくるなかで、体位を前かがみに倒したり起こしたりするときに、上半身用衣類がずれ上がったり、腰部から上半身用衣類がはみだして不恰好であったり、下半身用衣類と上半身用衣類とにすきまができて体や腰が冷えることにより病気に罹りやすくなったり健康上の障害を及ぼすことがある。
【０００３】
公知の商品として、腰周りのもたつきをなくすために、衣類の前身頃と後身頃の裾を延長し股下で重なり、ホックなどで係止するクロッチ付きシャツや下着など衣類が販売されている。
【０００４】
上半身用衣類の裾のずり上がりを防ぐために、止め具を取り付けたゴムベルトを大腿部に装着し、その止め具が衣類の裾を挟み込むものがある。（例えば、特許文献１参照）
【特許文献１】登録実用新案第３００７５４５号公報
【発明の開示】
【発明が解決しようとする課題】
【０００５】
上記のクロッチ付きシャツや下着など衣類は、衣類の前身頃と後身頃の長い裾が股下で固定されるため、下半身の衣類からはみ出したりずれ上がることがなく、腰は保温され体が冷えることはないが、股下部分が硬い材質であるホックやそのホックを固定させるため生地が分厚くなり、股下に異物感を感じ着心地が悪く、トイレに行くときなどにクロッチ部分を操作するのが面倒である。
【０００６】
特許文献１は、上半身用衣類の裾のずり上がりを防ぐためには、有効であるが、ゴムベルトを装着した大腿部からずれあがらないようにするために、大腿部に高い着圧を必要とし、大腿部を締め付けることとなるため、血流を妨げ、体に良い習慣とはならず、着け心地が悪くなる。
【課題を解決するための手段】
【０００７】
本発明は、上記の従来の課題を解決するためになされたものであり、
第一の発明としては、
上半身用衣類と下半身用衣類とを一対として用いる衣類において、
上半身用衣類の裾部周回りに、傾斜パイル地の地目が衣類の裾下部から裾上部へ向かう方向に傾斜するように取り付けたられた裾一周部を有する上半身用衣類と、
下半身用衣類の周回りをなす上縁部に、傾斜パイル地の地目が衣類の上縁部から股部へ向かう方向に傾斜するように取り付けたウエスト一周部を有する下半身用衣類とが、
裾一周部とウエスト一周部が、重なるように組み合わせて用いることにより、
上半身用衣類がすべらず、ずれすに、着用でき、上記目的が達成される。
【０００８】
第二の発明としては、
膝下まで足を覆う下半身用長衣類と靴下を一対として用いる衣類において、
下半身用長衣類の両足それぞれの裾部に、
傾斜パイル地の地目が裾部から膝下へ向かう方向に傾斜するように取り付けた裾周辺部を有する下半身用長衣類と、
靴下の両足それぞれの上縁部に、傾斜パイル地の地目が上縁部から足首へ向かう方向に傾斜するように取り付けた上縁周辺部を有する靴下を、
裾部に上縁部が重なるように組み合わせて用いることにより、下半身用長衣類の裾部がずりあがらずに、着用できることになり上記目的が達成される。
【発明の効果】
【０００９】
第一の本発明では、
上半身用衣類と下半身用衣類とを一対として用いる衣類において、
上半身用衣類の裾部周回りに、傾斜パイル地の地目が衣類の裾下部から裾上部へ向かう方向に傾斜するように取り付け、
下半身用衣類の周回りをなす上縁部に、傾斜パイル地の地目が衣類の上縁部から股部へ向かう方向に傾斜するように取り付け、
裾一周部の傾斜パイル地の地目が傾斜する方向とウエスト一周部の傾斜パイル地の地目が傾斜する方向に取り付けているので、
上半身用衣類と下半身用衣類を、組合わせて着用するだけで、傾斜パイル地の地目間で摩擦がおこり、すべらず、ずれることがなくなり、ずれ上がりを防止するために衣類の裾部を細く縮めたり、ゴムなどを強化して締め付けすぎないので、従来の衣類と同様に違和感なく着心地がよく、腰も冷えなくなり、保温性も高なり、着心地がよい衣類となる。
【００１０】
また、第二の本発明では、
膝下まで足を覆う下半身用長衣類と靴下を一対として用いる衣類において、
下半身用長衣類の両足それぞれの裾部に、傾斜パイル地の地目が裾部から膝下へ向かう方向に傾斜するように取り付け
靴下の両足それぞれの上縁部に、傾斜パイル地の地目を上縁部から足首へ向かう方向に傾斜するように取り付けているので傾斜パイル地の地目が重なり合うことによりそれぞれ地目に摩擦がおこり、
下半身用長衣類と靴下が着用するだけで、下半身用長衣類の裾部がずりあがらずに、保温性の高い、着心地のよい衣類となる。
【発明を実施するための最良の形態】
【００１１】
以下に本発明の実施の形態を、実施例となる図面を参照して具体的に説明する。
【００１２】
図１と図３は第一の本発明に係り、上半身用衣類１には、裾一周部２に衣類の表側に傾斜パイル地が裾下部から裾上部へ向かう方向に傾斜するように取り付けた。一方下半身用衣類３には、ウエスト一周部４に衣類の裏側に傾斜パイル地が上縁部から股部へ向かう方向へ傾斜するように取り付けた。本発明に用いた傾斜パイル地は、生地の特徴である傾斜パイル地の地目の流れる方向と地目の流れと相反する方向の地目が重なることにより摩擦がおこり、すべりにくくなるので、上半身衣類１に重なった下半身用衣類３によって上半身衣類１は裾部がずり上がりにくくなる。
【００１３】
また、図２は第一の本発明に係り、上半身用衣類１には、裾一周部２に衣類の裏側に傾斜パイル地が裾下部から裾上部へ向かう方向に傾斜するように取り付けた。一方下半身用衣類３には、ウエスト一周部４に衣類の表側に傾斜パイル地が上縁部から股部へ向かう方向へ傾斜するように取り付けた。本発明に用いた傾斜パイル地は、生地の特徴である傾斜パイル地の地目の流れる方向と地目の流れと相反する方向の地目が重なることにより摩擦がおこり、すべりにくくなるので、下半身用衣類３の上に重なった上半身衣類１の裾部はずり上がりにくくなる。
【００１４】
図１〜図３の傾斜パイル地は、縫製時に取り付けておいてもよく、既製品に取り付けてもよい。
【００１５】
上半身用衣類１と下半身用衣類３は、綿や絹、化学繊維など、縫製する生地に制限はなく、着心地がよいものであればよい。
【００１６】
それから、腰周辺部２と腹周辺部４は、衣類の周回りに傾斜パイル地が５ｃｍ内外の幅を形成するように縫合する。そして、裾一周部２、ウエスト一周部４は、衣類の周辺部に連続して、取り付けてもよいし、断続していてもよい。
【００１７】
図１は、第一の本発明の上半身用衣類１であるシャツの裾一周部２の上に下半身用衣類３であるパンツのウエスト一周部４を重ねて着用するための傾斜パイル地の地目の方向例を示すものである。
【００１８】
図２は、第一の本発明の上半身用衣類１であるシャツの裾一周部２の下に下半身用衣類３であるパンツのウエスト一周部４を着用するための傾斜パイル地の地目の方向例を示すものである。
【００１９】
図１〜図３に示す第一の本発明の上半身用衣類１であるシャツと下半身用衣類３であるパンツは、一対として着用するが、重なり合う傾斜パイル地が一対であればよく、上半身用衣類１であるシャツと下半身用衣類３であるパンツの生地や素材は同一のものでなくてもよく、上下一対となったジャージなど、同じ材質にとらわれなくともよい。
【００２０】
具体的には、上半身用衣類１と下半身用衣類３は、一対として着用するものであるが、上下に分かれて着用する衣類であり、カッターシャツとスラックスやブラウスとスカートなどである。
【００２１】
図３は、第一の本発明に係る衣類を着用した状態を表したもので、上半身用衣類１の裾部は下半身用衣類２の中にいれ、着用した例を示している。
【００２２】
上半身用衣類１と下半身用衣類３のずれ防止衣類の場合は、傾斜パイル地の地目同士の摩擦により、ずれないことが特徴であるため、
下半身用衣類の上縁部のゴムや紐などをきつく締めなくても、活動中に上半身用衣類がずれ上がりやずれ下がりがなくなるので、生地の選択によっては、スポーツするときのウエアとして好ましく着用することもできる。
【００２３】
図４は、第二の本発明に係り、下半身用長衣類５には、裾周辺部６に衣類の表側裾部に傾斜パイル地の地目が裾部から膝下へ向かう方向へ傾斜するように取り付けた。一方靴下７には、上縁周辺部８に衣類の裏側上縁部に傾斜パイル地の地目が足首から上縁部へ向かう方向へ傾斜するように取り付けた。取り付ける傾斜パイル地は、生地の特徴である傾斜パイル地の地目の流れる方向と地目の流れと相反する方向の地目が重なることにより摩擦がおこり、下半身用長衣類５の裾周辺部６は、靴下８の上縁周辺部８の下に重なりずれ上がりにくくなる。
【００２４】
図５は、第二の本発明に係り、下半身用長衣類５には、裾周辺部６に衣類の裏側裾部に傾斜パイル地の地目が裾部から膝下へ向かう方向へ傾斜するように取り付けた。一方靴下７には、上縁周辺部８に衣類の表側上縁部に傾斜パイル地の地目が足首から上縁部へ向かう方向へ傾斜するように取り付けた。取り付ける傾斜パイル地は、生地の特徴である傾斜パイル地の地目の流れる方向と地目の流れと相反する方向の地目が重なることにより摩擦がおこり、下半身用長衣類５の裾周辺部６は、靴下７の上縁周辺部８の上に重なりずれ上がりにくくなる。
【００２５】
図４〜図５の傾斜パイル地は、縫製時に取り付けておいてもよく、既製品など仕上がった衣類に縫合することもできる。
【００２６】
下半身用長衣類５と靴下７は、肌に密着する下着として着用することもでき、綿や絹、化学繊維など、着心地がよいものであればよい。
【００２７】
図４は、第二の本発明の下半身用長衣類５であるズボン下の裾部の上に靴下７を重ねて着用するための傾斜パイル地の地目の方向例を示すものである。
【００２８】
図５は、第二の本発明の下半身用長衣類５であるズボン下の裾部を靴下７の上に着用するための傾斜パイル地の地目の方向例を示すものである。
【００２９】
図４と図５に示す第二の本発明の下半身用長衣類５であるズボン下と靴下７は、一対として使うが、重なり合う傾斜パイル地が一対であればよく、下半身用長衣類５であるズボン下と靴下７の生地や素材、材質は同一のものでなくてもよい。
【００３０】
図１と図２と図４と図５に示す第一と第二の本発明は、傾斜パイル地を取り付けた部分だけを縫合する部品とすることもできる。
【００３１】
図１と図２と図４と図５に示す第一と第二の本発明は、傾斜パイル地を取り付けた部分だけを部品として、アイロンなどで接着する部品とすることもできる。
【図面の簡単な説明】
【００３２】
【図１】第一の本発明の実施例に係る衣類を示す説明図
【図２】第一の本発明の他の実施例に係る衣類を示す説明図
【図３】第一の本発明に係る衣類の着用例を示す
【図４】第二の本発明の実施例に係る衣類を示す説明図
【図５】第二の本発明の他の実施例に係る衣類を示す説明図
【符号の説明】
【００３３】
1、  上半身用衣類
2、  裾一周部
3、  下半身用衣類
4、  ウエスト一周部
5、  下半身用長衣類
6、  裾周辺部
7、  靴下
8、  上縁周辺部
【図１】
2010001582.tif 000003
【図２】
2010001582.tif 000004
【図３】
2010001582.tif 000005
【図４】
2010001582.tif 000006
【図５】
2010001582.tif 000007